(57)【要約】【課題】ランドセルへの装着感や外見を損なうことなく、ファイル、用紙などのＡ４判の大きさの物品を簡単に収納することができると共に、取り出し易いようにしたランドセルカバーを提供する。【解決手段】ランドセルＲのタレＴの幅よりそれぞれ広くした幅の外側シート１ａと内側シート１ｂを重ね合わせたカバー体１からなり、前記外側シート１ａでランドセルＲのタレＴの外側面の全体が被覆され、前記内側シート１ｂで、ランドセルＲのタレＴの内側面の略半分が被覆されるようにし、前記外側シート１ａと内側シート１ｂの間を、Ａ４判の大きさの物品の収納部２にしている。【選択図】図４
0003160970.tif 000002
【実用新案登録請求の範囲】
【請求項１】
ランドセル（Ｒ）のタレ（Ｔ）の幅よりそれぞれ広くした幅の外側シート（１ａ）と内側シート（１ｂ）を重ね合わせたカバー体（１）からなり、前記外側シート（１ａ）でランドセル（Ｒ）のタレ（Ｔ）の外側面の全体が被覆され、前記内側シート（１ｂ）で、ランドセル（Ｒ）のタレ（Ｔ）の内側面の略半分が被覆されるようにし、前記外側シート（１ａ）と内側シート（１ｂ）の間を、Ａ４判の大きさの物品の収納部（２）にしたことを特徴とするランドセルカバー。
【請求項２】
前記収納部（２）の幅をタレ（Ｔ）の幅より１〜２ｃｍ広いものにしたことを特徴とする請求項１記載のランドセルカバー。
【請求項３】
前記収納部（２）の深さを２０〜３０ｃｍにしたことを特徴とする請求項２記載のランドセルカバー。
【請求項４】
前記外側シート（１ａ）と内側シート（１ｂ）を二枚ものとし、これらシートを重ね合わせ、これらシ−トの両側縁と下縁を止着したものとしたことを特徴とする請求項３記載のランドセルカバー。
【請求項５】
前記外側シート（１ａ）と内側シート（１ｂ）を一枚ものとし、このシートを折り返して重ね合わせ、このシ−トの両側縁を止着したものとしたことを特徴とする請求項３記載のランドセルカバー。
【請求項６】
前記カバー体（１）の中間部の左右縁部において、外側シート（１ａ）に、収納部（２）に収納したＡ４判の大きさの物品の上部を止めておくための止め体（７）を取り付けたものとしたことを特徴とする請求項４または５記載のランドセルカバー。
【考案の詳細な説明】
【技術分野】
【０００１】
この考案は、Ａ４判の大きさの物品、例えばＡ４判のファイル、用紙などを収納することができるランドセルカバーに関するものである。
【背景技術】
【０００２】
従来のランドセルカバーとしては、例えば図１０、１１に示すように、ランドセルＲのタレＴの外側面を被覆する形態のシート状本体１１の外側面下部寄りにポケット１２を設けたものが存在する（特許文献１）。
【０００３】
そして、前記ポケット１２は、ランドセルＲを背負ったときに垂下したタレＴの外側に、垂直方向に形成されているので、便利に収納機能を利用することができるとしている。
【先行技術文献】
【特許文献】
【０００４】
【特許文献１】実用新案登録第３１１３９５２号公報
【考案の概要】
【考案が解決しようとする課題】
【０００５】
ところで、標準規格のランドセルは、Ｂ５判の教科書やノート、ファイル、用紙などが充分に収納できる大きさに形成されているが、Ａ４判のファイル、用紙などの物品を収納するには、無理をすれば収納できないこともないが、少し小さすぎる。また、無理をして収納すれば、その収納する物品やランドセルが痛んでしまう。
【０００６】
そのため、小学生がこれらＡ４判のファイル、用紙などの物品を持ち運びする場合には、ランドセルとは別の手提げバッグなどに収納していた。
【０００７】
また、上記従来のランドセルカバーは、シート状本体１１の外側面下部寄りにポケット１２を設けたものとしているが、このポケット１２には、文房具や財布などの小物を収納するためのものであり、Ａ４判のファイル、用紙などの物品は勿論、収納することができるようにはしていない。
【０００８】
そこで、この考案は、ランドセルへの装着感や外見を損なうことなく、ファイル、用紙などのＡ４判の大きさの物品を簡単に収納することができると共に、取り出し易いようにしたランドセルカバーを提供することを目的としてなされたものである。
【課題を解決するための手段】
【０００９】
そのため、この考案のランドセルカバーは、ランドセルＲのタレＴの幅よりそれぞれ広くした幅の外側シート１ａと内側シート１ｂを重ね合わせたカバー体１からなり、前記外側シート１ａでランドセルＲのタレＴの外側面の全体が被覆され、前記内側シート１ｂで、ランドセルＲのタレＴの内側面の略半分が被覆されるようにし、前記外側シート１ａと内側シート１ｂの間を、Ａ４判の大きさの物品の収納部２にしている。
【００１０】
そして、この考案のランドセルカバーは、前記収納部２の幅をタレＴの幅より１〜２ｃｍ広いものにしている。
【００１１】
さらに、この考案のランドセルカバーは、前記収納部２の深さを２０〜３０ｃｍにしている。
【００１２】
また、この考案のランドセルカバーは、前記外側シート１ａと内側シート１ｂを二枚ものとし、これらシートを重ね合わせ、これらシ−トの両側縁と下縁を止着したものとしている。
【００１３】
さらに、この考案のランドセルカバーは、前記外側シート１ａと内側シート１ｂを一枚ものとし、このシートを折り返して重ね合わせ、このシ−トの両側縁を止着したものとしている。
【００１４】
また、この考案のランドセルカバーは、前記カバー体１の中間部の左右縁部において、外側シート１ａに、収納部２に収納したＡ４判の大きさの物品の上部を止めておくための止め体７を取り付けたものとしている。
【考案の効果】
【００１５】
この考案のランドセルカバーは、以上に述べたように構成されているので、ランドセルへの装着感や外見を損なうことなく、ファイル、用紙などのＡ４判の大きさの物品を簡単に収納することができると共に、取り出し易いものとなる。
【図面の簡単な説明】
【００１６】
【図１】この考案のランドセルカバーの一実施形態を示す外側面図である。
【図２】図１に示すランドセルカバーの内側面図である。
【図３】図１に示すランドセルカバーをランドセルに装着した状態の説明図である。
【図４】図３のランドセルに装着したランドセルカバーにＡ４判のファイルを収納した状態を示す説明図である。
【図５】この考案のランドセルカバーの他の実施形態を示す外側面図である。
【図６】図５に示すランドセルカバーの内側面図である。
【図７】図５に示すランドセルカバーをランドセルに装着した状態の説明図である。
【図８】図７のランドセルに装着したランドセルカバーにＡ４判のファイルを収納した状態を示す説明図である。
【図９】この考案のランドセルカバーを装着したランドセルの斜視図である。
【図１０】従来のランドセルカバーの一例を示す外側面斜視図である。
【図１１】従来のランドセルカバーをランドセルに装着した状態の説明図である。
【考案を実施するための形態】
【００１７】
以下、この考案のランドセルカバーを実施するための形態を、図面に基づいて詳細に説明する。
【００１８】
この考案のランドセルカバーは、図１、２または図５、６に示したように、ランドセルＲのタレＴの幅よりそれぞれ広くした幅の外側シート１ａと内側シート１ｂを重ね合わせたカバー体１からなり、前記外側シート１ａでランドセルＲのタレＴの外側面の全体が被覆され、前記内側シート１ｂで、ランドセルＲのタレＴの内側面の略半分が被覆されるようにし、前記外側シート１ａと内側シート１ｂの間を、Ａ４判の大きさの物品の収納部２にしている。なお、前記カバー体１の外側シート１ａと内側シート１ｂは、図示したものでは、双方とも透明体にしているが、双方とも不透明体にしてもよく、また一方を透明体にし、もう一方を不透明体にしてもよい。
【００１９】
前記ランドセルＲのタレＴは、標準規格のものではＡ４判の幅より少し大きい寸法に形成され、Ａ４判の長さより相当大きい寸法に形成されているので、前記収納部２には、Ａ４判の大きさの物品が充分に収納可能な幅になる。この収納部２の幅は、具体的にはタレＴの幅より１〜２ｃｍ広いものにしている。収納部２の幅をこれより広くすると、カバー
体１をタレＴに装着したときに、カバー体１がタレＴからずれ動き易くなるため好ましくなく、また収納部２の幅をこれより狭くすると、カバー体１をタレＴに装着したときに、カバー体１がタレＴにぴったりしすぎて、収納部２にゆとりが無くなるので好ましくない。さらに、前記収納部２の深さは、具体的には２０〜３０ｃｍにしている。収納部２の深さを２０ｃｍより浅くすると、Ａ４判の大きさの物品が収納部２から大きく飛び出し、タレＴの開閉操作時などには抜け出し易くなるため好ましくなく、また収納部２の深さを３０ｃｍより深くすると、Ａ４判の大きさの物品の全部またはほとんどが収納部２に入り込んでしまって、取り出し難くなるため好ましくない。
【００２０】
前記カバー体１は、図示したものでは、外側シート１ａと内側シート１ｂを二枚ものとし、これらシートを重ね合わせ、これらシ−トの両側縁と下縁を縁布３で縫着することにより止着したものとしているが、外側シート１ａと内側シート１ｂを一枚ものとし、このシートを折り返して重ね合わせ、このシ−トの両側縁を縁布３で縫着することにより止着したものとしてもよい。なお、前記外側シート１ａと内側シート１ｂの両側縁や下縁は、縁布３で縫着することなく、ヒートシール等によって止着したものとしてもよい。
【００２１】
前記カバー体１の上端部の左右縁部において、外側シート１ａには、ランドセルＲのタレＴに止めておくための止め体４を取り付けたものとしている。この止め体４は、一本のゴムバンドなどとしてもよいが、図示したものでは、二本の帯紐４ａとし、それぞれの先端部に止着可能とした雌雄の面接着ファスナーを設けたものとしている。さらに、前記カバー体１の上端中央部には、ランドセルＲの吊り環（図示せず）に引っ掛けておくための掛け紐５を設けたものとしている。
【００２２】
前記カバー体１の下端部において、内側シート１ｂには、ランドセルＲのタレＴの先端の連結体Ｃの挿通孔６を形成したものとしている。
【００２３】
さらに、前記カバー体１の中間部の左右縁部において、図５、６に示したものでは、外側シート１ａには、収納部２に収納したＡ４判の大きさの物品の上部を止めておくための止め体７を取り付けたものとしている。この止め体７は、一本のゴムバンドなどとしてもよいが、図示したものでは、二本の帯紐７ａとし、それぞれの先端部に雌雄の面接着ファスナーを設けたものとしている。
【００２４】
以上のように構成されたこの考案のランドセルカバーは、カバー体１の収納部２にランドセルＲのタレＴの先端側を収納し、そのタレＴの先端の連結体Ｃをカバー体１の下端部の挿通孔６に挿通する。そして、タレＴの外側面の全体にカバー体１の外側シート１ａを添わせて、タレＴの外側面の全体をこの外側シート１ａで被覆し、カバー体１の上端中央部の掛け紐５をランドセルＲの吊り環に引っ掛け、タレＴの上端部寄りを止め体４で止めておけば、図３、７に示したように、カバー体１がランドセルＲのタレＴに簡単に装着しておくことができる。
【００２５】
そこで、前記タレＴの先端側が収納されたカバー体１の収納部２に、このタレＴの先端側の内側面に沿うようにしてＡ４判の大きさの物品、例えばＡ４判のファイルＦを差し込めば、図示したように、このファイルＦをカバー体１の収納部２に簡単に収納しておくことができる。
【００２６】
前記図３に示したこの考案のランドセルカバーでは、図４に示したように、Ａ４判のファイルＦの上部側がこの収納部２から少し食み出した状態となって、タレＴの開閉操作時などには抜け出し難いものとなり、ファイルＦの必要時などにはそのファイルＦの食み出した部分を手で摘めば取り出し易いものとなる。
【００２７】
前記図４に示したこの考案のランドセルカバーでは、図８に示したように、Ａ４判のファイルＦの上部側がこの収納部２から相当食み出した状態となるが、このファイルＦの上端部寄りを止め体７で止めておけば、タレＴの開閉操作時などには抜け出し難いものとなり、ファイルＦの必要時などには止め体７の面接着ファスナーを外し、そのファイルＦの食み出した部分を手で摘めば取り出し易いものとなる。
【００２８】
よって、この考案のランドセルカバーは、収納部２にＡ４判のファイル、ノート、用紙などの物品が簡単に収納できると共に、その収納部２からこれらの物品が取り出し易いものとなる。
【００２９】
そして、この考案のランドセルカバーは、ランドセルＲのタレＴを閉じた場合には、図９に示したように、このタレＴが前記収納部２を覆い隠すので、ランドセルへの装着感や外見を損なうことがないものとなる。
【符号の説明】
【００３０】
１  カバー体
１ａ  外側シート
１ｂ  内側シート
２  収納部
７  止め体
Ｒ  ランドセル
Ｔ  タレ
【図１】
0003160970.tif 000003
【図２】
0003160970.tif 000004
【図３】
0003160970.tif 000005
【図４】
0003160970.tif 000006
【図５】
0003160970.tif 000007
【図６】
0003160970.tif 000008
【図７】
0003160970.tif 000009
【図８】
0003160970.tif 000010
【図９】
0003160970.tif 000011
【図１０】
0003160970.tif 000012
【図１１】
0003160970.tif 000013